(57)【要約】      （修正有）【課題】差替え用の広告コンテンツを選択するにあたり、広告主による広告コンテンツの視聴予測を可能とし、広告枠の管理ができるようにする。【解決手段】放送スケジュール情報に基づいて、番組コンテンツおよび広告コンテンツを読み出し、ストリーム情報を生成する放送局システム１と、ストリーム情報を受信する視聴者端末５を有する広告配信システムにおいて、放送局システム１より受信する広告枠情報に係る広告枠に一または二以上の広告コンテンツを割振り生成される広告枠割振情報を管理する広告代理店システム２と、広告枠割振情報に係る広告コンテンツを受信端末５に配信するＮＳＰシステム４を有し、放送局システム１は広告枠割振情報に基づいて、放送スケジュール情報を生成し、視聴者端末５は所定条件下、ストリーム情報に係る広告コンテンツを広告枠割振情報に係る広告コンテンツに差替える。【選択図】図１
2006262244.tif 000002
【特許請求の範囲】
【請求項１】
放送スケジュール情報に基づいて、番組コンテンツおよび広告コンテンツを読み出し、ストリーム情報を生成する放送局システムと、
前記ストリーム情報を受信する受信端末を有する広告配信システムにおいて、
前記放送局システムより受信する広告枠情報に係る広告枠に一または二以上の広告コンテンツを割振り生成される広告枠割振情報を管理する広告枠割振サーバと、
前記広告枠割振情報に係る広告コンテンツを前記受信端末に配信する広告コンテンツ配信サーバを有し、
前記放送局システムは前記広告枠割振情報に基づいて、前記放送スケジュール情報を生成し、
前記受信端末は所定条件下、前記ストリーム情報に係る広告コンテンツを前記広告枠割振情報に係る広告コンテンツに差替えることを特徴とする広告配信システム。
【請求項２】
前記広告枠割振りサーバは、コミュニティ情報に基づいて生成された前記広告枠割振情報を管理することを特徴とする請求項１に記載の広告配信システム。
【請求項３】
前記広告枠割振情報は、前記広告枠情報のターゲット視聴者、前記広告コンテンツ情報のターゲット顧客、前記コミュニティ情報のコミュニティを比較することにより割振り生成されることを特徴とする請求項２に記載の広告配信システム。
【請求項４】
前記放送局システムは、前記ストリーム情報に係る広告コンテンツを前記広告枠割振情報に係る広告コンテンツに差し替えるか否かを判定するための判定情報を暗号化する判定情報暗号化手段を有し、
前記受信端末は、前記判定情報を復号化する判定情報復号化手段を有し、
前記判定情報の暗号化及び復号化に係る暗号化鍵を管理する鍵交換サーバを有することを特徴とする請求項１から３の何れかに記載の広告配信システム。
【請求項５】
前記鍵交換サーバが前記暗号化鍵を前記受信端末に配信する際に、当該受信端末の認証手続を行う認証サーバを有することを特徴とする請求項４に記載の広告配信システム。
【請求項６】
広告枠情報に係る広告枠に一または二以上の広告コンテンツを割振り生成される広告枠割振情報に基づいて、放送スケジュール情報を生成し登録する番組情報登録サーバと、
前記放送スケジュール情報に基づいて、番組コンテンツおよび広告コンテンツを読み出し、ストリーム情報を生成するストリーム情報生成手段と、
前記放送スケジュール情報に基づいて、広告コンテンツを差替えるための差替えタイミング信号を発生する広告タイミング発生手段を有することを特徴とする放送局システム。
【請求項７】
前記広告タイミング発生手段が前記差替えタイミング信号のダミーであるダミータイミング信号を発生し、前記ダミータイミング信号を判定するための判定情報を生成することを特徴とし、
前記判定情報の暗号化に係る暗号化鍵を生成する暗号化鍵生成装置と、
前記暗号化鍵を用いて前記判定情報を暗号化する判定情報暗号化装置を有することを特徴とする請求項６に記載の放送局システム。
【請求項８】
番組コンテンツおよび広告コンテンツを有するストリーム情報に、広告コンテンツを差替えるための差替えタイミング信号を多重化したものを受信し、前記ストリーム情報と前記差替えタイミング信号に分割する受信分割手段と、
広告コンテンツを要求し、ダウンロードする広告コンテンツダウンロード手段と、
前記受信分割手段が受信した前記ストリーム情報に係る広告コンテンツを、前記差替えタイミング信号に基づいて、前記広告コンテンツダウンロード手段がダウンロードした広告コンテンツに差替える広告コンテンツ差替え手段を有することを特徴とする受信端末。
【請求項９】
前記ストリーム情報は、さらに前記差替えタイミング信号のダミーであるダミータイミング信号と、前記ダミータイミング信号を判定するための判定情報を多重化したものであり、前記判定情報は暗号化されていることを特徴とし、
前記判定情報を復号化する判定情報復号化手段を有し、
前記広告コンテンツダウンロード手段は、前記受信分割手段による前記判定情報を受信することにより広告コンテンツを要求することを特徴とする請求項８に記載の受信端末。
【請求項１０】
広告枠情報に係る広告枠に一または二以上の広告コンテンツを割振る広告枠割振情報を生成する広告枠割振情報生成工程と、
前記広告枠割振情報に基づいて、放送スケジュール情報を生成する放送スケジュール情報生成工程と、
前記放送スケジュール情報に基づいて、番組コンテンツおよび広告コンテンツを読み出し、ストリーム情報を生成するストリーム情報生成工程と、
前記ストリーム情報を受信端末に配信するストリーム情報配信工程と、
前記広告枠割振情報に係る広告コンテンツを受信端末に配信する広告コンテンツ配信工程と、
前記受信端末において所定条件下、前記ストリーム情報に係る広告コンテンツを前記広告枠割振情報に係る広告コンテンツに差替える広告コンテンツ差替え工程を有することを特徴とする広告配信方法。
【請求項１１】
前記ストリーム情報に係る広告コンテンツを前記広告枠割振情報に係る広告コンテンツに差し替えるか否かを判定するための判定情報を暗号化する判定情報暗号化工程を前記ストリーム情報配信工程の前段に有し、
前記ストリーム情報配信工程において、前記判定情報も前記受信端末に配信し、
前記判定情報を復号化する判定情報復号化工程を前記広告コンテンツ配信工程の後段に有し、
前記広告コンテンツ配信工程において、前記判定情報の暗号化及び復号化に係る暗号化鍵も前記受信端末に配信することを特徴とする請求項１０に記載の広告配信方法。
【請求項１２】
コンピュータに、
広告枠情報に係る広告枠に一または二以上の広告コンテンツを割振る広告枠割振情報を生成する広告枠割振情報生成処理と、
前記広告枠割振情報に基づいて、放送スケジュール情報を生成する放送スケジュール情報生成処理と、
前記放送スケジュール情報に基づいて、番組コンテンツおよび広告コンテンツを読み出し、ストリーム情報を生成するストリーム情報生成処理と、
前記ストリーム情報を受信端末に配信するストリーム情報配信処理と、
前記広告枠割振情報に係る広告コンテンツを受信端末に配信する広告コンテンツ配信処理と、
前記受信端末において所定条件下、前記ストリーム情報に係る広告コンテンツを前記広告枠割振情報に係る広告コンテンツに差替える広告コンテンツ差替え処理を実行させるプログラム。
【請求項１３】
前記ストリーム情報に係る広告コンテンツを前記広告枠割振情報に係る広告コンテンツに差し替えるか否かを判定するための判定情報を暗号化する判定情報暗号化処理を前記ストリーム情報配信処理の前段に有し、
前記ストリーム情報配信処理において、前記判定情報も前記受信端末に配信するように実行させ、
前記判定情報を復号化する判定情報復号化工程を前記広告コンテンツ配信処理の後段に有し、
前記広告コンテンツ配信処理において、前記判定情報の暗号化及び復号化に係る暗号化鍵も前記受信端末に配信するように実行させることを特徴とする請求項１２に記載のプログラム。
【請求項１４】
請求項１２または１３に記載のプログラムを記録した記録媒体。
【発明の詳細な説明】
【技術分野】
【０００１】
本発明は、電波等を利用したマスユーザ向け放送において、視聴者が属する特定コミュニティに対し、効果的な広告コンテンツを配信及び受信する方法、システムなどに関するものである。放送コンテンツの権利を有する放送局において、広告枠差替えの権利執行管理の実現化を図る。
【背景技術】
【０００２】
放送媒体を利用した番組配信と広告コンテンツを別経路で配信し、視聴者側において、広告コンテンツを蓄積し、番組中の広告枠を検出し、蓄積した広告コンテンツと差替える方法が特許文献１に記載されている。また、広告コンテンツ差し替え技術を利用した広告差し替えプランの判定方法について、特許文献２に記載されている。これらに記載されている番組及び広告配信システムでは、視聴者が操作する視聴者端末において、複数の広告コンテンツを事前に蓄積し、視聴者の属性や視聴履歴をリアルタイムで判定し、広告コンテンツの選択表示を行っていた。しかしながら、これら従来の技術では、以下の様な問題があった。
【特許文献１】特開２００１−０２４９５６号公報
【特許文献２】特開２００３−２８４０４１号公報
【発明の開示】
【発明が解決しようとする課題】
【０００３】
まず、広告コンテンツを視聴者側の蓄積手段に蓄積し、視聴者の属性に応じて、視聴する広告コンテンツを選択する為、選択表示されなかった広告コンテンツの表示機会損失などもあって、広告主による広告コンテンツの視聴予測が困難であった。そして、放送局にて実際に視聴される広告コンテンツの表示時刻、対象となる視聴者、表示された広告コンテンツ内容などの広告枠の権利を事前に管理できない。
【０００４】
また、広告コンテンツを差替えるためのトリガ情報を配信するところ、このトリガ情報を不正に利用し、録画機器などの録画機能により広告コンテンツを削除して録画されるおそれがある。
【０００５】
また、視聴者側に表示されない広告コンテンツを蓄積する可能性もあり、不要な広告コンテンツの為の蓄積容量や伝送容量が大きくなってしまう。
【０００６】
本発明では上記問題を解決する広告配信システムなどを提供することを目的とする。
【課題を解決するための手段】
【０００７】
上記課題を解決するための手段として、本発明の態様は、放送スケジュール情報に基づいて、番組コンテンツおよび広告コンテンツを読み出し、ストリーム情報を生成する放送局システムと、前記ストリーム情報を受信する受信端末を有する広告配信システムにおいて、前記放送局システムより受信する広告枠情報に係る広告枠に一または二以上の広告コンテンツを割振り生成される広告枠割振情報を管理する広告枠割振サーバと、前記広告枠割振情報に係る広告コンテンツを前記受信端末に配信する広告コンテンツ配信サーバを有し、前記放送局システムは前記広告枠割振情報に基づいて、前記放送スケジュール情報を生成し、前記受信端末は所定条件下、前記ストリーム情報に係る広告コンテンツを前記広告枠割振情報に係る広告コンテンツに差替えることを特徴とする。
【０００８】
ここで、前記広告枠割振りサーバは、コミュニティ情報に基づいて生成された前記広告枠割振情報を管理することを特徴とする。前記広告枠割振情報は、前記広告枠情報のターゲット視聴者、前記広告コンテンツ情報のターゲット顧客、前記コミュニティ情報のコミュニティを比較することにより割振り生成されることを特徴とする。
【０００９】
上記態様において、前記放送局システムは、前記ストリーム情報に係る広告コンテンツを前記広告枠割振情報に係る広告コンテンツに差し替えるか否かを判定するための判定情報を暗号化する判定情報暗号化手段を有し、前記受信端末は、前記判定情報を復号化する判定情報復号化手段を有し、前記判定情報の暗号化及び復号化に係る暗号化鍵を管理する鍵交換サーバを有することを特徴とする。
さらに、前記鍵交換サーバが前記暗号化鍵を前記受信端末に配信する際に、当該受信端末の認証手続を行う認証サーバを有することを特徴とする。
【００１０】
本発明の他の態様は、広告枠情報に係る広告枠に一または二以上の広告コンテンツを割振り生成される広告枠割振情報に基づいて、放送スケジュール情報を生成し登録する番組情報登録サーバと、前記放送スケジュール情報に基づいて、番組コンテンツおよび広告コンテンツを読み出し、ストリーム情報を生成するストリーム情報生成手段と、前記放送スケジュール情報に基づいて、広告コンテンツを差替えるための差替えタイミング信号を発生する広告タイミング発生手段を有することを特徴とする放送局システムに関するものである。
【００１１】
ここで、前記広告タイミング発生手段が前記差替えタイミング信号のダミーであるダミータイミング信号を発生し、前記ダミータイミング信号を判定するための判定情報を生成することを特徴とし、前記判定情報の暗号化に係る暗号化鍵を生成する暗号化鍵生成装置と、前記暗号化鍵を用いて前記判定情報を暗号化する判定情報暗号化装置を有することを特徴とする。
【００１２】
本発明の他の態様は、番組コンテンツおよび広告コンテンツを有するストリーム情報に、広告コンテンツを差替えるための差替えタイミング信号を多重化したものを受信し、前記ストリーム情報と前記差替えタイミング信号に分割する受信分割手段と、広告コンテンツを要求し、ダウンロードする広告コンテンツダウンロード手段と、前記受信分割手段が受信した前記ストリーム情報に係る広告コンテンツを、前記差替えタイミング信号に基づいて、前記広告コンテンツダウンロード手段がダウンロードした広告コンテンツに差替える広告コンテンツ差替え手段を有することを特徴とする受信端末に関するものである。
【００１３】
ここで、前記ストリーム情報は、さらに前記差替えタイミング信号のダミーであるダミータイミング信号と、前記ダミータイミング信号を判定するための判定情報を多重化したものであり、前記判定情報は暗号化されていることを特徴とし、前記判定情報を復号化する判定情報復号化手段を有し、前記広告コンテンツダウンロード手段は、前記受信分割手段による前記判定情報を受信することにより広告コンテンツを要求することを特徴とする。
【００１４】
本発明の他の態様は、広告枠情報に係る広告枠に一または二以上の広告コンテンツを割振る広告枠割振情報を生成する広告枠割振情報生成工程と、前記広告枠割振情報に基づいて、放送スケジュール情報を生成する放送スケジュール情報生成工程と、前記放送スケジュール情報に基づいて、番組コンテンツおよび広告コンテンツを読み出し、ストリーム情報を生成するストリーム情報生成工程と、前記ストリーム情報を受信端末に配信するストリーム情報配信工程と、前記広告枠割振情報に係る広告コンテンツを受信端末に配信する広告コンテンツ配信工程と、前記受信端末において所定条件下、前記ストリーム情報に係る広告コンテンツを前記広告枠割振情報に係る広告コンテンツに差替える広告コンテンツ差替え工程を有することを特徴とする広告配信方法に関するものである。
【００１５】
ここで、前記ストリーム情報に係る広告コンテンツを前記広告枠割振情報に係る広告コンテンツに差し替えるか否かを判定するための判定情報を暗号化する判定情報暗号化工程を前記ストリーム情報配信工程の前段に有し、前記ストリーム情報配信工程において、前記判定情報も前記受信端末に配信し、前記判定情報を復号化する判定情報復号化工程を前記広告コンテンツ配信工程の後段に有し、前記広告コンテンツ配信工程において、前記判定情報の暗号化及び復号化に係る暗号化鍵も前記受信端末に配信することを特徴とする。
【００１６】
本発明の他の態様は、コンピュータに、広告枠情報に係る広告枠に一または二以上の広告コンテンツを割振る広告枠割振情報を生成する広告枠割振情報生成処理と、前記広告枠割振情報に基づいて、放送スケジュール情報を生成する放送スケジュール情報生成処理と、前記放送スケジュール情報に基づいて、番組コンテンツおよび広告コンテンツを読み出し、ストリーム情報を生成するストリーム情報生成処理と、前記ストリーム情報を受信端末に配信するストリーム情報配信処理と、前記広告枠割振情報に係る広告コンテンツを受信端末に配信する広告コンテンツ配信処理と、前記受信端末において所定条件下、前記ストリーム情報に係る広告コンテンツを前記広告枠割振情報に係る広告コンテンツに差替える広告コンテンツ差替え処理を実行させるプログラムに関するものである。
【００１７】
ここで、前記ストリーム情報に係る広告コンテンツを前記広告枠割振情報に係る広告コンテンツに差し替えるか否かを判定するための判定情報を暗号化する判定情報暗号化処理を前記ストリーム情報配信処理の前段に有し、前記ストリーム情報配信処理において、前記判定情報も前記受信端末に配信するように実行させ、前記判定情報を復号化する判定情報復号化工程を前記広告コンテンツ配信処理の後段に有し、前記広告コンテンツ配信処理において、前記判定情報の暗号化及び復号化に係る暗号化鍵も前記受信端末に配信するように実行させることを特徴とする。
【００１８】
本発明の他の態様は、前記プログラムを記録した記録媒体に関するものである。
【発明の効果】
【００１９】
広告コンテンツの放送時刻、放送内容、対象とする視聴者などの情報が放送スケジュール情報として事前に把握された上で、広告コンテンツを配信管理するため、所定条件を満たした受信端末のみ広告の差し替えが可能となる。従って、広告主による広告コンテンツの視聴予測が容易になる。また、番組コンテンツの権利を有している放送局システムは、差替え用の広告コンテンツに係る広告枠ついても権利の執行管理をおこなうことが可能となる。
【発明を実施するための最良の形態】
【００２０】
以下、本発明の広告配信システムを実施するための最良の形態について説明する。説明する際には、本明細書と同時に提出する図面を適宜参照することにする。
【００２１】
図１を参照すると、本形態の広告配信システムは、放送局システム１、広告代理店システム２、広告主端末３、ネットワークサービスプロバイダシステム（以降、「ＮＳＰシステム」という。）４、視聴者端末５からなる。放送局システム１は、番組及び広告を衛星波、地上波、有線放送、インターネット放送などといったマスユーザ向けの放送の放送媒体１５を用いて視聴者端末５に放送する。放送局システム１、広告代理店システム２、広告主端末３、ＮＳＰシステム４は、それぞれ安全なネットワークまたは物理媒体である第１の通信経路１１、第２の通信経路１２、第３の通信経路１３で、接続されている。ＮＳＰシステム４と視聴者端末５は、インターネットなどのオープンネットワークを含めるネットワーク１４で接続されている。なお、放送局システム１、広告代理店システム２、広告主端末３、ＮＳＰシステム４、視聴者端末５の各々は、処理動作を統括的に制御する、いわば、中央処理制御の機能を有するＣＰＵ(Central Processing Unit)と、当該ＣＰＵが中央処理制御を行うために読み出すプログラムを記録したＲＯＭ(Read Only Memory)を搭載している。
【００２２】
放送局システム１では、番組情報登録サーバ１０４は、広告枠割振サーバ２０１からの広告枠割振情報１００２を受信登録し、ストリーム情報生成装置１０５に放送スケジュール情報１００５を送信し、広告タイミング発生装置１０６に放送スケジュール情報１００６を送信する。また、広告代理店システム２の中継装置２０２に対し、放送スケジュール情報２００４を送信する。
【００２３】
ストリーム情報生成装置１０５は、放送スケジュール情報１００５に従って、第１の記憶装置１１０の番組情報コンテンツ１０２、広告コンテンツ１０３を読み出し、ストリーム情報１００８として送信する。広告タイミング発生装置１０６は、放送スケジュール情報１００６に従い、差替タイミング信号と差替タイミング信号のダミーであるダミータイミング信号を発生し、且つ合成して、広告タイミング信号１００９として送信する。また、広告タイミング発生装置１０６は、ダミータイミング信号を判定する為の判定情報１００７を判定情報暗号化装置１０８に送信する。判定情報暗号化装置１０８は、暗号化鍵生成装置１０７からの鍵情報１０１０を基に判定情報１００７を暗号化し、多重化送信装置１０９に送信する。多重化送信装置１０９は、ストリーム情報１００８、広告タイミング信号１００９、暗号化された判定情報１０１１を受信し、多重化し送出する。
【００２４】
広告代理店システム２では、広告枠割振サーバ２０１は、放送局システム１の広告枠情報１０１、ＮＳＰシステム４のコミュニティ情報４０１を受信し、広告主端末３の広告コンテンツ３０１を広告枠情報１０１に割振り、広告枠割振情報１００２として放送局システム１の番組情報登録サーバ１０４に送信する。中継装置２０２は、放送局システム１の番組登録サーバ１０４からの放送スケジュール情報２００４を受信し、ＮＳＰシステム４の広告コンテンツ配信サーバ４０３に送信する。また、暗号化鍵生成装置１０７からの鍵情報２００５を受信し、ＮＳＰシステム４の暗号化鍵４０６に送信する。
【００２５】
広告主端末３では、第２の記憶装置３０２の広告コンテンツ３０１を広告枠割振サーバ２０１に送信するとともに、広告代理店システム２を経由して、放送局システム１及びＮＳＰシステム４に送信する。
【００２６】
ＮＳＰシステム４では、広告コンテンツ配信サーバ４０３は、広告コンテンツダウンロード手段５０１及び認証サーバ４０４と接続されている。広告コンテンツ４００２に従い、広告コンテンツダウンロード手段５０１からのダウンロード要求４０１０に応じて、認証サーバ４０４で認証確認を行わせ、第３の記憶装置４０７の広告コンテンツ４０２を配信する。鍵交換サーバ４０５は、鍵交換手段５０３及び認証サーバ４０４と接続され、鍵交換手段５０３からの鍵要求４０１１に応じて、認証サーバ４０４で認証確認を行い、暗号化鍵４０６を配信するように管理する。
【００２７】
視聴者端末５では、受信分割手段５０８は、多重化された放送情報５０１２を受信し、暗号化された判定情報５００５と、広告タイミング情報５００６と、ストリーム情報５００７に分割し、送信する。判定情報復号化手段５０４は、鍵交換手段５０３から鍵情報５００４を受け、暗号化された判定情報５００５を復号化し、広告タイミング検出手段５０５に判定情報５００８を送出する。広告タイミング検出手段５０５は、広告タイミング情報５００６と、判定情報５００８を受け、ダミータイミングを削除した差替タイミング信号５０１０を広告コンテンツ差替え手段５０６に送出する。広告コンテンツ差替え手段５０６は、ストリーム情報５００７の広告枠を差替タイミング信号５０１０に基づき、広告コンテンツ一時蓄積手段５０２に蓄積された広告コンテンツと差替え、映像表示手段５０７に送出する。映像表示手段５０７は、番組コンテンツ及び広告コンテンツを視聴できる情報として表示する。
【００２８】
次に図を用いて、本形態の広告配信システムの動作について説明する。図２は、本形態の広告配信システムの動作を示すシーケンス図である。
【００２９】
放送局システム1は、放送番組の内容及び詳細情報と予定している広告放送枠について、広告枠情報２００１として広告代理店システム２に対し送出し、広告コンテンツの割振りを依頼する。
【００３０】
広告枠割振サーバ２０１は、放送局システム１の広告枠情報１０１からの広告枠情報２００１を受信し、広告枠に広告主端末３の広告コンテンツ３０１からの広告コンテンツ２００２を割り当て、管理する。この際、ＮＳＰシステム４の第３の記憶装置４０７のコミュニティ情報４０１からのコミュニティ情報２００３を受け、コミュニティ情報を考慮し、広告コンテンツ３０１から広告コンテンツ情報２００２の割り当てを行う。
【００３１】
図３、図４及び図５は、広告枠割振サーバ２０１で受信する、広告枠情報２００１、コミュニティ情報２００３、広告コンテンツ２００２の各々の概念図である。図３を参照すると、広告枠情報には、「番組コンテンツ内容」として、「ターゲット視聴者」、「番組カテゴリー」、「放送時間帯」、「予測視聴率」が含まれ、「広告枠情報」として、「広告枠番号」、「放送時刻」、「放送時間」の情報が含まれている。図４を参照すると、コミュニティ情報には、コミュニティの「名称」、「規模」、そして「各種属性情報」として、「性別割合」や「年齢層」、「地域比率」、「職業比率」などの情報が含まれている。図５を参照すると、広告コンテンツ情報には、「広告出稿依頼情報」として、「ターゲット顧客」、「商品・サービス」、「使用・利用形態」や、「広告作品内容」として、「広告コンテンツ」そのものの情報が含まれている。
【００３２】
広告枠割振サーバ２０１は、これらコミュニティ規模や性別、年齢などの属性情報に基づき、広告主端末３がターゲット顧客とするコミュニティに広告コンテンツの割振りを行う（ステップ０１）。
【００３３】
ここで図１０を用いて、この広告枠割振サーバ２０１の広告枠割振り動作の一実施例について、詳細に説明する。
【００３４】
広告枠割振サーバ２０１は、広告枠情報２００１、コミュニティ情報２００３、広告コンテンツ情報２００２を受信する（ステップ１０１〜１０３）。次に、広告コンテンツ情報２００２のターゲット顧客と、広告枠情報２００１のターゲット視聴者を比較し（ステップ１０４）、ほぼ一致する場合は、該当広告コンテンツをマス広告として広告枠に割振る（ステップ１０７）。一致しない場合は、コミュニティ情報２００３のコミュニティ（属性情報）と比較し（ステップ１０５）、ほぼ一致する場合は、コミュニティ広告として割振る（ステップ１０８）。一致しない場合は、コミュニティ広告枠のマス広告として割振る（ステップ１０６）。最後に、割振った情報を広告枠割振情報１００２としてまとめる（ステップ１０９）。
【００３５】
図６は、広告枠割振情報１００２の概念図である。広告枠割振情報１００２は、広告枠番号と割振情報で構成され、割振情報において、広告対象として、マス広告であるかどうか、または、どのコミュニティ向けかを示すコミュニティ名称を「区分」の項目において示されている。そして、該当する広告対象毎にどの広告コンテンツを放送するかを示す広告コンテンツ番号が「広告番号」の項目において示されている。この広告枠割振情報により、どの広告枠で、どの様な視聴者の対象区分、どの広告コンテンツを放送するかを示す。
【００３６】
次に番組情報登録サーバ１０４は、広告枠情報１０１からの広告枠情報１０１２と、広告割振サーバ２０１からの広告枠割振情報１００２を受信登録し、番組コンテンツの放送時刻、広告枠などの情報から、放送スケジュール情報を生成し、また番組情報登録サーバ１０４に登録する。
【００３７】
図７は、放送スケジュール情報の概念図である。図７を参照すると、放送スケジュール情報は、番組コンテンツや広告枠の放送開始時刻、終了時刻と、各広告枠でのマス広告、コミュニティ広告として放送する際のコミュニティ名称と広告コンテンツそのものを示す番号が示されている。
【００３８】
番組情報登録サーバ１０４は、生成した放送スケジュール情報を接続先毎に、放送スケジュール信号１００５としてストリーム情報生成装置１０５に送信し、放送スケジュール情報１００６として広告タイミング発生装置１０６に送信し、放送スケジュール情報２００４として広告代理店システム２の中継装置２０２に送信する。広告代理店システム２の中継装置２０２は、放送スケジュール情報２００４を受信し、ＮＳＰシステム４の広告コンテンツ配信サーバ４０３に放送スケジュール情報４００７として送信する（ステップ０２）。
【００３９】
ストリーム情報生成装置１０５は、放送スケジュール情報１００５の放送時刻に従って、第１の記憶装置１１０から該当する番組コンテンツ１０２及び広告コンテンツ１０３から、番組コンテンツ１００３と広告コンテンツ１００４を順次読み出し、一つの映像ストリームとしてのストリーム情報１００８を生成する（ステップ０３）。
【００４０】
次に、広告タイミング発生装置１０６は、放送スケジュール情報１００６を受信し、広告を差替えるための差替えタイミング信号と、不正利用を防止する為のダミータイミング信号を生成し、広告タイミング信号１００９として合成する（ステップ０４）。また、後に視聴者端末５において、ダミータイミング信号を除去する為のコミュニティ広告の広告枠位置を示す判定情報１００７を判定情報暗号化装置１０８に送信する。
【００４１】
図８に、時間軸に対する各種信号の概念図を示す。図８を参照すると、放送スケジュール信号１００６と、広告タイミング発生装置１０６で生成される差替タイミング信号及びダミータイミング信号と、合成送信される広告タイミング信号１００９と、判定情報１００７が、時間軸上に示されている。図７と合わせて参照すると、差替タイミング信号は、コミュニティ広告として割振られている図８における放送スケジュールの広告枠＃２及び広告枠＃３において生成される。また、ダミータイミング信号は、不正利用を防止する観点から、実際の広告枠とは異なる番組コンテンツの放送時間帯に生成される。これら差替タイミング信号と、ダミータイミング信号は、広告タイミング信号１００９として合成される。
【００４２】
図９は、判定情報１００７の概念図である。図７、図８及び図９を参照すると、ダミータイミング信号を除去するための判定情報１００７は、広告タイミング信号１００８が示す広告枠タイミングの中で、実際にコミュニティ広告として差替えを行うべき広告枠タイミングにコミュニティ広告枠であることが示されている。この際、放送波の広告を放送表示するマス広告のみが割り振られている広告枠は、広告の差替えを行わない広告枠としてダミーとして示される。また、図８を参照すると、判定情報の送信タイミングは、視聴者端末５において放送途中からの視聴されることも考慮し、図９に示す番組放送時間帯の全広告枠の判定情報を一つの判定情報として、番組開始時から定周期で繰り返し送信する。
【００４３】
次に暗号化鍵生成装置１０７は、判定情報を暗号化する為の鍵を生成し、判定情報暗号化装置１０８に鍵情報１０１０として送信し、広告代理店システム２の中継装置２０２に鍵情報２００５として送信する。中継装置２０２は、鍵情報２００５を受信した場合、ＮＳＰシステム４の暗号化鍵４０６に鍵情報４００９として送信する（ステップ０５）。
【００４４】
判定情報暗号化装置１０８は、暗号化鍵生成装置１０７からの鍵情報１０１０を受け、この鍵を用いて、判定情報１００７を暗号化する（ステップ０６）。
【００４５】
多重化送信装置１０９は、ストリーム情報生成装置１０５からのストリーム情報１００８と、広告タイミング発生装置１０６からの広告タイミング信号１００９と、判定情報暗号化装置１０８からの暗号化された判定情報１０１１を多重化し、放送媒体１５に送出する（ステップ０７）。
【００４６】
ＮＳＰシステム４では、視聴者端末５のコミュニティ加入状況を一元管理し、一意のＩＤを加入者に配布し、ＩＤも同様に一元管理している。
【００４７】
次に、視聴者端末５において、受信分割手段５０８は、多重化された放送情報５０１２を受信し、暗号化された判定情報５００５と、広告タイミング情報５００６と、ストリーム情報５００７に分割し、送信する（ステップ１４）。
【００４８】
ＮＳＰシステム４及び視聴者端末５において、広告コンテンツダウンロード手段５０１は、判定情報５００５の受信をトリガにして、ＮＳＰシステム４の広告コンテンツ配信サーバ４０３に対し、広告コンテンツのダウンロード要求４０１０を行う（ステップ０８）。この際、広告コンテンツダウンロード手段５０１は、ユニークなＩＤを送信し、広告コンテンツ配信サーバ４０３は、認証サーバ４０４にこのＩＤの問い合わせ認証確認要求４００５を行う。認証サーバ４０４は、認証結果とユニークＩＤが属するコミュニティの情報を認証結果情報４０１２として通知する（ステップ０９）。広告コンテンツ配信サーバ４０３は、認証結果通知４０１２を受信し、認証が確認された場合、番組情報登録サーバ１０４から中継装置２０２を経由して受信した放送スケジュール情報４００７を参照し、認証サーバ４０４から通知された該当コミュニティに対応する広告コンテンツ５００１を配信する（ステップ１０）。広告コンテンツダウンロード手段５０１は、受信した広告コンテンツ５００２を一時的に広告コンテンツ一時蓄積手段５０２に蓄積する。
【００４９】
鍵交換手段５０３は、ＮＳＰシステム４の鍵交換サーバ４０５に対し、暗号化鍵要求４０１１を行う。この際、鍵交換手段５０３と鍵交換サーバ４０５との間で暗号化されたＶＰＮが構築される（ステップ１１）。鍵交換手段５０３は、暗号化鍵要求４０１１としてユニークなＩＤを送信する。鍵交換サーバ４０５は、認証サーバ４０４に認証要求４００６としてＩＤの問い合わせ確認を行う。認証サーバ４０５は、認証結果通知４０１３を鍵交換サーバ４０５に送信する。鍵交換サーバ４０５は、認証確認がなされた場合のみ、ＶＰＮを構築する（ステップ１２）。ＶＰＮを介して、鍵交換サーバ４０５は、暗号化鍵４０６から読み出した鍵情報５００３を鍵交換手段５０３に送信する（ステップ１３）。
【００５０】
判定情報復号化手段５０４は、鍵交換手段５０３から、鍵情報５００４を受信し、暗号化された判定情報５００５の復号化を行う。復号化された判定情報５００８を広告タイミング検出手段５０５に送信する（ステップ１５）。
【００５１】
広告タイミング検出手段５０５は、受信分割手段５０８からの広告タイミング信号５００６と、判定情報復号化手段５０４からの判定情報５００８により、ダミータイミングを除去し、正しい差替タイミング信号５０１０を広告コンテンツ差替え手段５０６に送出する（ステップ１６）。
【００５２】
広告コンテンツ差替え手段５０６は、受信分割手段５０８からのストリーム情報５００７の広告コンテンツを、広告タイミング検出手段５０５からの差替タイミング信号に従って、広告コンテンツ一時蓄積手段５０２から読み出した広告コンテンツ５００９と差替え、映像表示手段５０７に送出する（ステップ１７）。
【００５３】
本形態の広告配信システムを実施することにより、以下の効果を奏する。
【００５４】
第１の効果は、放送局システム１が、広告コンテンツの放送時刻、放送内容、対象とする視聴者などの情報を含む放送スケジュール情報として把握した上で、暗号化鍵と広告コンテンツを配布管理することで、暗号化鍵の配信許可を有する視聴者端末のみ広告の差し替えが可能となり、番組コンテンツの権利を有している放送局システムが、広告枠に対する差替え広告コンテンツについても提供管理することが可能となることである。
【００５５】
第２の効果は、広告コンテンツの差し替えを行うにあたり、事前にコミュニティ情報を基にした広告コンテンツの割振りを行うため、広告コンテンツの視聴予測が可能となることである。
【００５６】
第３の効果は、広告コンテンツを差替えるシステムにおいて、実際の広告枠とは異なる位置にダミータイミング信号を合成し、且つダミータイミングを除去する情報を暗号化し、その復号化鍵は事前に放送前に契約している広告代理店システム２及びＮＳＰシステム４を経由して配布することで、広告タイミングを不正利用し、録画時に広告を削除することを防止することができることである。
【００５７】
第４の効果は、ＮＳＰシステム４において、ユニークなＩＤによる視聴者の認証確認を行い、且つコミュニティに合致した広告コンテンツのみを配信することで、視聴者の視聴手段において、コンテンツ蓄積容量を小さくすることが可能となる。また、広告コンテンツを配信する際の伝送容量も小さくすることが可能となることである。
【００５８】
第５の効果は、広告コンテンツの配信対象を選択する際に、全体数量、比率、分布といったコミュニティ全体の属性情報として取り扱い、多量の個人属性でない為、処理の簡素化が可能となることである。
【００５９】
第６の効果は、広告コンテンツの配信において、ネットワークを経由することで、コミュニティやコンテンツの増減に対し、柔軟な対応や、負荷分散が可能となることである。
【００６０】
第７の効果は、ネットワークを経由することで、放送以外のネットワークにおけるキャンペーンや広告主のホームページへの広告誘導が容易となることである。
【００６１】
なお、上述した形態は本発明を実施するための最良のものであるが、これに限定する趣旨ではない。したがって、本発明の要旨を変更しない範囲において種々変形することが可能である。
【産業上の利用可能性】
【００６２】
衛星波、地上波、有線などの放送事業及びインターネットなどのネットワーク事業による広告配信産業、特に放送とネットワーク機能の両機能を有する機器産業、サービス産業において、利用されることが考えられる。
【図面の簡単な説明】
【００６３】
【図１】本形態の広告配信システムの構成を示すブロック図である。
【図２】本形態の広告配信システムのシーケンス図である。
【図３】本形態の広告配信システムの広告枠情報の概念図である。
【図４】本形態の広告配信システムのコミュニティ情報の概念図である。
【図５】本形態の広告配信システムの広告コンテンツ情報の概念図である。
【図６】本形態の広告配信システムの広告枠割振情報の概念図である。
【図７】本形態の広告配信システムの放送スケジュール情報の概念図である。
【図８】本形態の広告配信システムの各種情報のタイミング図である。
【図９】本形態の広告配信システムの判定情報の概念図である。
【図１０】本形態の広告配信システムの広告枠割振判定のフロー図である。
【符号の説明】
【００６４】
１    放送局システム
１０１    広告枠情報
１０２    番組情報コンテンツ
１０３    番組コンテンツ
１０４    番組情報登録サーバ
１０５    ストリーム情報生成装置
１０６    広告タイミング発生装置
１０７    暗号化鍵生成装置
１０８    判定情報暗号化装置
１０９    多重化送信装置
１１０    第１の記憶装置
２    広告代理店システム
２０１    広告枠割振サーバ
２０２    中継装置
３    広告主端末
３０１    広告コンテンツ
３０２    第２の記憶装置
４    ＮＳＰシステム
４０１    コミュニティ情報
４０２    広告コンテンツ
４０３    広告コンテンツ配信サーバ
４０４    認証サーバ
４０５    鍵交換サーバ
４０６    暗号化鍵
４０７    第３の記憶装置
５    視聴者端末
５０１    広告コンテンツダウンロード手段
５０２    広告コンテンツ一時蓄積手段
５０３    鍵交換手段
５０４    判定情報復号化手段
５０５    広告タイミング検出手段
５０６    広告コンテンツ差替え手段
５０７    映像表示手段
５０８    受信分割手段
【図１】
2006262244.tif 000003
【図２】
2006262244.tif 000004
【図３】
2006262244.tif 000005
【図４】
2006262244.tif 000006
【図５】
2006262244.tif 000007
【図６】
2006262244.tif 000008
【図７】
2006262244.tif 000009
【図８】
2006262244.tif 000010
【図９】
2006262244.tif 000011
【図１０】
2006262244.tif 000012